(57)【要約】      （修正有）【課題】構造を有効に簡単化し、簡単に組立て可能で、使い易いモップ用脱水バケツ構造を提供する。【解決手段】ハウジング、駆動セットと駆動セットが備わっており、ハウジング内には上収納槽と下収納槽が形成され、下収納槽内に駆動セットがあり、駆動セットはハウジングの台座があり、台座は回転繰り返しの可動ユニットと駆動ユニットがあり、可動ユニットの片側にはハウジングからはみだしたペダルがあり、他方側にはカーブ状ギアラックがあり、駆動ユニットは同軸上に駆動ギアと第一斜めギアがあり、駆動ギアがカーブ状ギアラックと噛み合い、駆動セットには上収納槽を貫通したシャフトがあり、シャフトの片側には上収納槽のところに被支持部があり、他方側には第二斜めギアがあり、第二斜めギアが第一斜めギアと噛み合う。【選択図】図２
0003155651.tif 000002
【実用新案登録請求の範囲】
【請求項１】
上収納槽と下収納槽を備えてなるハウジングが備わり、該ハウジングの該下収納槽には片側に欠け口があり、
該下収納槽内にある駆動セットが備わり、該駆動セットに台座があり、該台座に二つの翼板があり、二つの翼板の間には可動ユニットと駆動ユニットがあり、該可動ユニットの片側にペダルがあり、該ペダルは、該ハウジングの欠け口を貫通し、その他方側にカーブ状ギアラックが設けられており、該駆動ユニットは同軸上に駆動ギアと第一斜めギアが設けられ、該駆動ギアは該カーブ状ギアラックと噛みあうことになっており、
該上収納槽を貫通したシャフト付きの駆動セットが備わり、該シャフトは該上収納槽に被支持部が設けられ、該被支持部に複数の孔隙があり、該単一方向ベアリングの外周には、該第一斜めギアと噛み合わせるための第二斜めギアが設けられていることを特徴とするモップ用脱水バケツ構造。
【請求項２】
上記駆動セットの可動ユニットには軸が設けられ、該軸には復帰ばねが設けられており、また、該軸は該台座の二つの翼板に設けられ、該復帰ばねの両側は、それぞれ該可動ユニットとその中の一つの翼板に突くように設けられていることを特徴とする請求項1に記載のモップ用脱水バケツ構造。
【考案の詳細な説明】
【技術分野】
【０００１】
本考案は、生活用品の技術分野に応用され、特に簡単に組立可能で、シンボル化構造を持つモップ用脱水バケツ構造に関する。
【背景技術】
【０００２】
従来の一般的なモップ用脱水バケツ構造は、例えば、台湾特許取得番号第M3386334号のように、ハウジング、装置部、回転ユニット、駆動ユニットとプッシュバーを備えてなるものであり、ハウジングの底部に該裝置部が設けられ、該裝置部は該プッシュバーが設けられ、そして、該駆動ユニットは該裝置部に設けられており、該駆動ユニットには、順序よく連動されるギアラック、ガイドレール、第一ギア、第二ギアなどが設けられており、該プッシュバーが該ギアラックを動かすように駆動することになり、該回転ユニットには該駆動ユニットの駆動に供するための駆動ギアシャフトと被支持ユニットが設けられ、該駆動ギアシャフトは、該ハウジングを貫通し、該ハウジング内に該被支持ユニットが設けられているが、該プッシュバーを踏むことによって、該ギアラックの動きを連動し、それに伴って、該第一ギアと該第二ギアを動かし、該駆動ギアラックを動かせるようにして、該被支持ユニットが該ハウジング内で回転されることになっている。
【０００３】
しかし、従来のモップ用脱水バケツ構造には不十分な点が存在し、実施のとき、該プッシュバーで該ギアラックを連動するために、ガイドロールやガイドレールなど多くのユニットを増設する必要があり、構造も複雑で、組立ても複雑になる。
【０００４】
本考案者は、上述した従来の習用モップ用脱水バケツ構造について、実際の使用上、構造も複雑で、組立ても複雑という欠点が存在することを鑑みて、それを再設計したわけである。
【先行技術文献】
【特許文献】
【０００５】
【特許文献１】台湾特許取得番号第M3386334号
【考案の概要】
【考案が解決しようとする課題】
【０００６】
本考案は、モップ用脱水バケツ構造を提供することを目的とし、構造を有効に簡単化し、簡単に組立て可能で、使い易いという効果がある。
【課題を解決するための手段】
【０００７】
上述した本考案の目的を達成させるために、本考案の技術特徴として、上収納槽と下収納槽を備えてなるハウジングが備わり、該ハウジングの該下収納槽には片側に欠け口があり、該下収納槽内にある駆動セットが備わり、該駆動セットに台座があり、該台座に二つの翼板があり、二つの翼板の間には可動ユニットと駆動ユニットがあり、該可動ユニットの片側にペダルがあり、該ペダルは、該ハウジングの欠け口を貫通し、その他方側にカーブ状ギアラックが設けられており、該駆動ユニットは同軸上に駆動ギアと第一斜めギアが設けられ、該駆動ギアは該カーブ状ギアラックと噛みあうことになっており、そして、該上収納槽を貫通したシャフト付きの駆動セットが備わり、該シャフトは該上収納槽に被支持部が設けられ、該被支持部に複数の孔隙があり、該単一方向ベアリングの外周には、該第二斜めギアを該第一斜めギアと噛み合わせるための第二斜めギアが設けられていることを特徴とするモップ用脱水バケツ構造である。
【図面の簡単な説明】
【０００８】
【図１】本考案の立体外観図。
【図２】本考案の部品の立体分解図。
【図３】本考案の駆動セットの立体外観図。
【図４】図3の断面図。
【考案を実施するための形態】
【０００９】
図1〜図3に示すのは、本考案のモップ用脱水バケツ構造であり、
上収納槽11と下収納槽12を備えてなるハウジング10が備わり、該ハウジング10の該下収納槽12には片側に欠け口13があり、
図4に示すように、該下収納槽12内にある駆動セット20が備わり、該駆動セット20に台座21があり、該台座21に二つの翼板22があり、二つの翼板22の間には可動ユニット23と駆動ユニット24があり、該可動ユニット23に軸230があり、該軸230には復帰ばね25が設けられており、また、該軸230は該台座21の二つの翼板22に設けられ、該復帰ばね25の両側は、それぞれ該可動ユニット23とその一つの翼板22に突くように設けられており、その上、該可動ユニット23の片側にペダル231があり、該ペダル231は、該ハウジング10の欠け口13を貫通し、その他方側にカーブ状ギアラック232が設けられており、該駆動ユニット24は同軸上に駆動ギア240と第一斜めギア241が設けられ、該駆動ギア240は該カーブ状ギアラック232と噛みあうことになっており、
該上収納槽11を貫通したシャフト31付きの駆動セット30が備わり、該シャフト31は該上収納槽11に被支持部32が設けられ、該被支持部32に複数の孔隙320があり、該シャフト31は該下収納槽12に単一方向ベアリング33が設けられ、該単一方向ベアリング33の外周には、該第一斜めギア241と噛み合わせるための第二斜めギア34が設けられていることを特徴とするモップ用脱水バケツ構造である。
【００１０】
実施に際し、図1〜図4に示すように、使用者が該ペダル231を踏むことによって、該可動ユニット23が該軸230に沿って回転すると同時に、該復帰ばね25が押さえられて、該駆動ギア240が駆動され、該第一斜めギア241、該第二斜めギア34、該シャフト31が順次に動かされ、そこで、該被支持部32が早く回転され、遠心力で脱水待ちの物が脱水されるようになるが、該ペダル231を離れると、該可動ユニット23は該復帰ばね25の跳ね返り力を受け、該ペダル231が元の状態に戻り、そして、該被支持部32の連続的回転に影響せず、該可動ユニット23が該単一方向ベアリング33に合わせて逆方向に運動し、該シャフト31とが空回転するようになり、そこで、該ペダル231を踏み続けると、該被支持部32が素早く回転し、脱水を早く行わせることになっている。
【符号の説明】
【００１１】
(10) ハウジング
(11) 上収納槽
(12) 下収納槽
１３   欠け口
２０   駆動セット
２１   台座
２２   翼板      
２３   可動ユニット
２３０ 軸
２３１ ペダル
２３２ カーブ状ギアラック
２４   駆動ユニット
２４０ 駆動ギア
２４１ 第一斜めギア
２５   復帰ばね
３０   駆動セット
３１   シャフト
３２   被支持部
３２０ 孔隙
３３   単一方向ベアリング
３４   第二斜めギア
【図１】
0003155651.tif 000003
【図２】
0003155651.tif 000004
【図３】
0003155651.tif 000005
【図４】
0003155651.tif 000006